(57)【要約】【課題】操作性に優れ、筆記と同内容のカルテ情報の入力が可能で、部署または医療機関間においても時系列に従った医療情報の記録および利用が可能な電子カルテシステムを提供することを目的とする。【解決手段】予め用紙の全面に微小な点を印刷したカルテと、前記カルテに対して記入を行い該記入内容および該記入位置座標からなる医療記録データを生成する記入手段と、医療記録データを保持するデータ管理手段と、記入手段と記憶手段との間において医療記録データの送受信を制御するデータ制御手段とを設けた電子カルテシステムを提供する。【選択図】  図１
2004252607.tif 000002
【特許請求の範囲】
【請求項１】
医療記録を保持する電子カルテシステムであって、
予め用紙の全面に微小な点を印刷したカルテと、
前記カルテに対して記入を行い、該記入内容および該記入位置座標からなる医療記録データを生成する記入手段と、
前記医療記録データを保持するデータ管理手段と、
前記記入手段と、前記記憶手段との間において、前記医療記録データの送受信を制御するデータ制御手段と、
を備えることを特徴とする電子カルテシステム。
【請求項２】
請求項１記載の電子カルテシステムであって、
前記カルテが、
前記微小な点の特定の配列パターンにより、前記記入手段、前記記憶手段、および前記データ制御手段間の医療記録データの送受信を指示する通信指示領域、
を備えたことを特徴とする電子カルテシステム。
【請求項３】
請求項１または２記載の電子カルテシステムであって、
前記カルテが、
診療科または医療機関毎に、異なる前記微小な点の特定の配列パターン、
を備えることを特徴とする電子カルテシステム。
【請求項４】
請求項１から３のいずれかに記載の電子カルテシステムであって、
前記カルテが、
該カルテに記入する医療記録データの種類を識別する識別入力領域、
を備えることを特徴とする電子カルテシステム。
【請求項５】
請求項１から４のいずれかに記載の電子カルテシステムであって、
前記記入手段が、
前記カルテに記入した筆跡、および位置座標を医療記録データに変換するデジタルペンと、
前記医療記録データを、前記データ制御手段、および前記記憶手段との間において送受信を行う通信手段と、
を備えることを特徴とする電子カルテシステム。
【請求項６】
請求項１から５のいずれかに記載の電子カルテシステムであって、
前記デジタルペンが、
前記カルテに目視可能な筆跡を残す記入部と、
前記記入部によるカルテ上の記入した個所の記入位置座標および筆跡を読み取る読取部と、
前記読み取った記入位置座標および筆跡から医療記録データを生成するプロセッサと、
該デジタルペンを一意に特定可能なペンＩＤおよび前記医療記録データを保持するメモリと、
前記通信指示領域による指示および前記データ制御手段からの指示に基づいて前記メモリに保持している医療記録データを送出する無線通信手段と、
を備えることを特徴とする電子カルテシステム。
【請求項７】
請求項１から６のいずれかに記載の電子カルテシステムであって、
前記プロセッサが、
前記医療記録データを生成する際に、各々の医療記録データに対して、医療記録データを生成した時刻データを付与して記憶する時刻付与手段、
を備えることを特徴とする電子カルテシステム。
【請求項８】
請求項１から７のいずれかに記載の電子カルテシステムであって、
前記プロセッサが、
前記医療記録データを生成する際に、各々の医療記録データに対して、該医療記録データを筆記したデジタルペンのペンＩＤを付与して記憶するペンＩＤ付与手段、
を備えることを特徴とする電子カルテシステム。
【請求項９】
請求項１から８のいずれかに記載の電子カルテシステムであって、
前記データ制御手段が、
前記記入手段が送信した医療記録データを受信する第１の受信手段と、
前記カルテの全ての微小点の配列パターンを記憶し、記憶している微小点の配列パターンにより、前記受信した医療記録データが情報処理対象か否か判定する認証手段と、
前記記憶手段の所在を前記記入手段に対して通知する所在通知手段と、
を備えることを特徴とする電子カルテシステム。
【請求項１０】
請求項１から９のいずれかに記載の電子カルテシステムであって、
前記データ管理手段が、
前記記入手段から医療記録データを受信する第２の受信手段と、
前記記入手段から受信した医療記録データを記録するデータベースと、
を備えることを特徴とする電子カルテシステム。
【請求項１１】
請求項１から１０のいずれかに記載の電子カルテシステムであって、
前記データ管理手段が、
前記カルテが備える診療科または医療機関毎に異なる前記微小な点の特定の配列パターンにより、カルテを記入した診療科または医療機関の識別子を設定するカルテ識別手段、
を備えることを特徴とする電子カルテシステム。
【請求項１２】
請求項１から１１のいずれかに記載の電子カルテシステムであって、
前記データ管理手段が、
前記デジタルペンから受信したペンＩＤおよび前記医療記録データの組み合わせにより、該医療データの正当性を検証し保証する確定手段、
を備えることを特徴とする電子カルテシステム。
【請求項１３】
請求項１から１２のいずれかに記載の電子カルテシステムであって、
前記データ管理手段が、
前記時刻データに基づいて、時系列の順に前記医療記録データを並べて表示する表示手段、
を備えることを特徴とする電子カルテシステム。
【請求項１４】
コンピュータを、請求項１から１３記載の電子カルテシステムとして動作させるためのプログラム。
【請求項１５】
コンピュータを、請求項１から１３記載の電子カルテシステムとして動作させるためのプログラムを記録したコンピュータ読み取り可能な記録媒体。
【発明の詳細な説明】
【０００１】
【発明の属する技術分野】
本発明は、病院などの医療における情報化に関し、特に電子カルテを作成するための入力装置およびその情報処理方法に関するものである。
【０００２】
【従来の技術】
近年、情報処理技術の向上、普及により、病院などの医療分野における情報化が進められており、特に医療情報の中心となるカルテが電子化されると、患者と医療機関、医療機関同士の情報の共有化が進み、より有効な医療が実現できるはずであるが、カルテの電子化は期待ほどに進んでいないのが現状である。
【０００３】
電子カルテシステムの多くは医療行為中にキーボードやマウスを持ち替える動作が煩わしく、患部の絵を書いたりすることが困難であり、本来カルテとして必要な情報を完全に入力することができないという、入力内容が制限されるという問題がある。
【０００４】
したがって、実際には、医療行為後に医師自らあるいは別の担当者が、ノートや紙のカルテに筆記した内容を事後に入力する方法が用いられるが、一般に入力用の画面は予め決められたフォーマットが用意されているので、筆記した各内容が画面のどこに入力すべき項目であるかの対応付けを変換および確認しながらでなければ入力できないという問題がある。
【０００５】
また、電子カルテにおいて、個人情報（プライバシー）の保護やデータが改ざんされることを防止するなどの安全性を確保することも重要である。
【０００６】
係る問題を解決するために、医療伝票上におけるペン先の座標の時間変化を表す筆跡データを検出し、筆跡データに基づき文字認識により電子カルテを作成する手書き電子カルテシステムがある（例えば、特許文献１参照。）。
【０００７】
また、画像や音声により医療内容を記録し、ネットワークを介した別室の端末装置において、医師とは別の人間がカルテ情報を入力する電子カルテ入力システムもある（例えば、特許文献２参照。）。
【０００８】
【特許文献１】
特開平９−１７１５２８号公報
【特許文献２】
特開２００３−６３３５号公報
【０００９】
しかしながら、従来においては、医療情報は、予め決められたデータ項目の位置に格納され、電子カルテシステムに入力した順序で記録されるだけであり、一人の患者に対する、病院内の複数の部署において行われた医療行為や、複数の医療機関による医療行為を、本来の医療行為の時系列に従って記録することは困難であった。
【００１０】
【発明が解決しようとする課題】
本発明は上述の問題に鑑みてなされたものであり、その目的とするところは、操作性に優れ、筆記と同内容のカルテ情報の入力が可能で、部署または医療機関間においても時系列に従った医療情報の記録および利用が可能な電子カルテシステムを提供することである。
【００１１】
【課題を解決するための手段】
上記目的を達成するために、本発明の第１の態様は、医療記録を保持する電子カルテシステムにおいて、予め用紙の全面に微小な点を印刷したカルテと、前記カルテに対して記入を行い該記入内容および該記入位置座標からなる医療記録データを生成する記入手段と、前記医療記録データを保持するデータ管理手段と、前記記入手段と前記記憶手段との間において前記医療記録データの送受信を制御するデータ制御手段とを設けたものである。
【００１２】
本発明の第２の態様は、上述の第１の態様に係る電子カルテシステムにおいて、前記カルテに、前記微小な点の特定の配列パターンにより、前記記入手段、前記記憶手段、および前記データ制御手段間の医療記録データの送受信を指示する通信指示領域を設けたものである。
【００１３】
本発明の第３の態様は、上述の第１または第２の態様に係る電子カルテシステムにおいて、前記カルテに、診療科または医療機関毎に異なる前記微小な点の特定の配列パターンを設けたものである。
【００１４】
本発明の第４の態様は、上述の第１から第３の態様に係る電子カルテシステムにおいて、前記カルテに、該カルテに記入する医療記録データの種類を識別する識別入力領域を設けたものである。
【００１５】
本発明の第５の態様は、上述の第１から第４の態様に係る電子カルテシステムにおいて、前記記入手段に、前記カルテに記入した筆跡および位置座標を医療記録データに変換するデジタルペンと、前記医療記録データを前記データ制御手段および前記記憶手段との間において送受信を行う通信手段とを設けたものである。
【００１６】
本発明の第６の態様は、上述の第１から第５の態様に係る電子カルテシステムにおいて、前記デジタルペンに、前記カルテに目視可能な筆跡を残す記入部と、前記記入部によるカルテ上の記入した個所の記入位置座標および筆跡を読み取る読取部と、前記読み取った記入位置座標および筆跡から医療記録データを生成するプロセッサと、該デジタルペンを一意に特定可能なペンＩＤおよび前記医療記録データを保持するメモリと、前記通信指示領域による指示および前記データ制御手段からの指示に基づいて前記メモリに保持している医療記録データを送出する無線通信手段とを設けたものである。
【００１７】
本発明の第７の態様は、上述の第１から第６の態様に係る電子カルテシステムにおいて、前記プロセッサに、前記医療記録データを生成する際に各々の医療記録データに対して医療記録データを生成した時刻データを付与して記憶する時刻付与手段を設けたものである。
【００１８】
本発明の第８の態様は、上述の第１から第７の態様に係る電子カルテシステムにおいて、前記プロセッサに、前記医療記録データを生成する際に各々の医療記録データに対して該医療記録データを筆記したデジタルペンのペンＩＤを付与して記憶するペンＩＤ付与手段を設けたものである。
【００１９】
本発明の第９の態様は、上述の第１から第８の態様に係る電子カルテシステムにおいて、前記データ制御手段に、前記記入手段が送信した医療記録データを受信する第１の受信手段と、前記カルテの全ての微小点の配列パターンを記憶し記憶している微小点の配列パターンにより前記受信した医療記録データが情報処理対象か否か判定する認証手段と、前記記憶手段の所在を前記記入手段に対して通知する所在通知手段とを設けたものである。
【００２０】
本発明の第１０の態様は、上述の第１から第９の態様に係る電子カルテシステムにおいて、前記データ管理手段に、前記記入手段から医療記録データを受信する第２の受信手段と、前記記入手段から受信した医療記録データを記録するデータベースとを設けたものである。
【００２１】
本発明の第１１の態様は、上述の第１から第１０の態様に係る電子カルテシステムにおいて、前記データ管理手段に、前記カルテが備える診療科または医療機関毎に異なる前記微小な点の特定の配列パターンによりカルテを記入した診療科または医療機関の識別子を設定するカルテ識別手段を設けたものである。
【００２２】
本発明の第１２の態様は、上述の第１から第１１の態様に係る電子カルテシステムにおいて、前記データ管理手段に、前記デジタルペンから受信したペンＩＤおよび前記医療記録データの組み合わせにより該医療データの正当性を検証し保証する確定手段を設けたものである。
【００２３】
本発明の第１３の態様は、上述の第１から第１２の態様に係る電子カルテシステムにおいて、前記データ管理手段に、前記時刻データに基づいて時系列の順に前記医療記録データを並べて表示する表示手段を設けたものである。
【００２４】
本発明の第１４の態様は、コンピュータを、上述の第１から第１３の態様に係る電子カルテシステムとして動作させるためのプログラムを提供するようにしたものである。
【００２５】
本発明の第１５の態様は、コンピュータを、上述の第１から第１３の態様に係る電子カルテシステムとして動作させるためのプログラムをコンピュータ読み取り可能な記録媒体に記録して提供するようにしたものである。
【００２６】
【発明の実施の形態】
以下、本発明を図示する実施形態に基づいて説明する。図１は、本発明の電子カルテシステム１の一実施例を示す構成図である。
【００２７】
電子カルテシステム１は、カルテ２と、記入手段３と、データ制御手段４と、データ管理手段５とを備え、ネットワーク６を介して相互に通信可能になっている。
【００２８】
図２は、カルテ２の紙面の一部の拡大図である。カルテ２は、炭素入りインキを用いて、０．３ｍｍ程度の間隔で微小点７を予め印刷した用紙である。
【００２９】
この微小点７は、微妙に格子を崩した形で配置されており、当該微小点７を印刷した全ての用紙において、２ｍｍ角程度の特定領域の微小点７の配列パターンは一意になっている。２ｍｍ角程度の特定領域毎の微小点７の配列パターンを認識することにより、カルテ２上のどの位置かを識別することができる。
【００３０】
また、カルテ２の微小点７の配列パターンは、内科、外科などの診療科毎、あるいは医療機関毎に、特定の微小点７の配列パターンを印刷することもでき、微小点７の配列パターンを判断することにより、どの診療科あるいはどの医療機関のカルテであるかを識別することができる。もちろん、各々のカルテに対して、明示的にカルテを識別するＩＤを付与してもよい。
【００３１】
また、カルテ２には、データの送信を指示可能な通信指示領域８が印刷されている。通信指示領域８は、カルテ２上に特定の配列パターンの微小点７を印刷することにより、「特定の相手に対してデータを送信する」という通信の指示機能を持たせたものである。
【００３２】
また、カルテ２には、患者が提供する個人情報や主観的データ、問診結果、治療内容、投薬や検査の指示などの医療記録データを記入するが、記入内容を識別するために、例えば、チェック記号を記入するチェックボックス形式の識別入力領域９が印刷されている。
【００３３】
識別入力領域９も、カルテ２上に特定の配列パターンの微小点７を印刷することにより、以降に記入する医療記録データのデータ識別子を付与し、医療記録データの種類が何であるかを明示的に識別可能にするものである。
【００３４】
また、カルテ２は、デジタルペン９により、特定の微小点７の配置パターンを印刷した所定の位置に、患者を一意に識別可能な個人ＩＤを、記入するものとする。
【００３５】
上述の個人ＩＤは、医療機関が異なる場合においても同一の個人ＩＤを使用することが好適であるが、医療機関毎に異なるＩＤを用いて、それらを関連付けて使用する方法でもよい。
【００３６】
記入手段３は、デジタルペン１０と、通信手段１１を備えており、カルテ２に対する記入、医療記録データの作成、医療記録データの送信を行い、医療記録データの入力を行う装置である。
【００３７】
図３は、デジタルペン１０の構成図である。デジタルペン１０は、記入部１２と、読取部１３と、プロセッサ１４と、メモリ１５と、無線通信手段１６を備えている。
【００３８】
記入部１２は、通常の記入具と同様に、デジタルペン１０が動いた軌跡（すなわち筆跡）を目視確認可能にするためのインキ・カートリッジ、およびペン先である。
【００３９】
読取部１３は、１秒間に１００回程度、赤外線により微小点７を撮影するデジタルカメラである。炭素入りインキで印刷した微小点７だけを認識し、カルテの印刷部分やデジタルペン１０により記入したインキ部分などは認識しない。
【００４０】
プロセッサ１４は、読取部１３が撮影した微小点７の配列パターンの画像処理を行い、デジタルペン１０の正確な現在位置を逐次計算するものである。
【００４１】
更に、プロセッサ１４は、読取部１３が撮影した各回の微小点７の配列パターン画像を比較し、デジタルペン１０の移動方向や移動距離などを算出し、ＳＶＧ（Ｓｃａｌａｂｌｅ  Ｖｅｃｔｏｒ  Ｇｒａｐｈｉｃｓ）形式などのベクトルデータを生成する。
【００４２】
また、予め特定の文字入力領域を設定しておくことにより、当該領域におけるデジタルペン１０の筆跡から文字コードに変換することも可能である。
【００４３】
記入部１２を用いてカルテ２上に記入を行い、その時撮影した微小点７の配列パターンにより、プロセッサ１４が、カルテ２上の位置やデジタルペン１０の筆跡をデジタル化することで、カルテ２に記入された、個人ＩＤ、文字、線、図形などの全てを医療記録データとすることができる。
【００４４】
また、プロセッサ１４は、時刻付与手段１７と、ペンＩＤ付与手段１８とを備えている。
【００４５】
時刻付与手段１７は、プロセッサ１４が医療記録データを生成する際に、各々の医療記録データに対して、該医療記録データを生成した時刻データ（以下、タイムスタンプという）を付与するものである。
【００４６】
ペンＩＤ付与手段１８は、プロセッサ１４が医療記録データを生成する際に、各々の医療記録データに対して、該医療記録データを生成したデジタルペン１０を一意に特定するペンＩＤを付与するものである。
【００４７】
メモリ１５は、通信指示領域８を介してデータ送信の指示があるまでの間、プロセッサ１４の処理により生成した医療記録データおよび読み取った微小点７の配列パターンを一時的に保持するものである。
【００４８】
また、メモリ１５は、各々のデジタルペン１０に付けられた、各々のデジタルペン１０を一意に特定可能なペンＩＤも記憶している。
【００４９】
無線通信手段１６は、例えば、ブルートゥース技術などの、パーソナルコンピュータ、周辺機器、デジタル家電などの間で、短距離の無線通信を行うものである。
【００５０】
本発明の微小点７を印刷したカルテ２、およびデジタルペン１０は、例えば、Ａｎｏｔｏ社が提案するＡｎｏｔｏペーパーとＡｎｏｔｏペン（どちらもＡｎｏｔｏ社の商標）により構成することができる。
【００５１】
通信手段１１は、無線通信手段１６と通信可能であり、且つネットワーク６と接続して、２つの異なる通信手順が相互に通信可能なような仲介装置であり、実際には二つの通信手順を搭載した携帯電話、ＰＨＳ、パーソナルコンピュータ、アクセスポイントなどである。
【００５２】
記入手段３は、データ制御手段４に対して、カルテ２の微小点７の配列パターンを送信し、データ制御手段４からデータ管理手段５の位置を受け取り、次に、メモリ１５に記憶した医療記録データをデータ管理手段５へ送信する、という２段階の通信を行う。
【００５３】
データ制御手段４は、第１の受信手段１９と、認証手段２０と、所在通知手段２１とを備えており、記入手段３およびデータ管理手段５の間の通信を制御するものである。
【００５４】
データ制御手段４は、実際にはコンピュータシステムであり、ハードウェアの観点からみると、情報を記録するコンピュータ用の記録装置（磁気ディスク、光ディスクなど）、コンピュータに指示を与える入力装置（キーボード、マウスなど）、演算を行うＣＰＵ、結果を表示するＣＲＴなどの表示装置、結果を印字するプリンタ、記入手段３およびデータ管理手段５とネットワーク６を介して通信可能な通信インタフェースなどから構成されている。
【００５５】
第１の受信手段１９は、ネットワーク６を介して、デジタルペン１０から当該カルテ２の微小点７の配列パターンを受信するものである。
【００５６】
認証手段２０は、予めカルテ２に印刷されている全ての微小点７の配列パターンを記憶しており、記憶している微小点７の配列パターンと受信した微小点７の配列パターンを照合することにより、カルテ２が本発明の電子カルテシステム１の情報処理の対象であることを認証するものである。
【００５７】
所在通知手段２１は、カルテ２が、認証手段２０により本発明の電子カルテシステム１の情報処理対象であることが認証された場合に、データ管理手段５の位置を、例えば、ＵＲＬ（Ｕｎｉｆｏｒｍ  Ｒｅｓｏｕｒｃｅ  Ｌｏｃａｔｏｒ）形式などで、デジタルペン１０に通知するものである。
【００５８】
データ管理手段５は、第２の受信手段２２と、カルテ識別手段２３と、データベース２４と、確定手段２５と、表示手段２６とを備え、医療記録データを保持して、利用するものである。
【００５９】
第２の受信手段２２は、ネットワーク６を介して、デジタルペン１０から微小点７の配列パターン、データ識別子、タイムスタンプ、ペンＩＤ、医療記録データを受信するものである。
【００６０】
カルテ識別手段２３は、受信した微小点７の配列パターンと、予め記憶している診療科や医療機関毎にカルテに印刷されている微小点７の配列パターンを比較し、カルテを識別するカルテ識別子を設定するものである。
【００６１】
データベース２４は、カルテ識別子やデジタルペン１０から受信したタイムスタンプ、ペンＩＤ、医療記録データを関連付けて記憶するものである。微小点７の配列パターンを記憶するか否かは任意である。
【００６２】
確定手段２５は、予め記憶しているデジタルペン１０のペンＩＤと医療記録データの種類に基づいて、該医療記録データが、該デジタルペン１０で入力可能な医療記録データであるか否かを検証するものである。
【００６３】
表示手段２６は、例えば、データベース２４が保持している医療記録データを読み出し、タイムスタンプに基づいて医療記録データを入力した時系列に従ってカルテ形式の雛型に対して並べて、電子カルテを表示するものである。
【００６４】
表示手段２６は、例えば、医師、看護士、技師、事務員など、医療記録データを利用する者に応じて、または診療科や医療機関毎に、表示する医療記録データの種類を制限して、医療記録データの安全性を確保することも可能である。
【００６５】
図４は、本発明の電子カルテシステム１の動作を示す模式図である。本発明の電子カルテシステム１においては、上述のように、微小点７と、通信指示領域８と、識別入力領域９を備えるカルテ２を使用する。
【００６６】
例えば、医師などのカルテ２へ記入を行う者は、医療行為を行い、患者への問診、診断、処置内容、投薬や検査の支持などの医療記録データの種類に応じて識別入力領域９を記入部１２でチェックした後、該医療記録データを記入部１２によりカルテ２に記入する。
【００６７】
読取部１３は、記入部１２の筆跡に従い、カルテ２に予め印刷されている微小点７の配列パターンを、例えば１秒間に１００回程度撮影する。
【００６８】
プロセッサ１４は、読取部１３が撮影した微小点７の配列パターンを比較することにより、記入部１２が記入したカルテ２上の位置の始点と終点の位置座標、線分の方向と長さなどを算出し、筆跡を認識する。
【００６９】
プロセッサ１４は、識別入力領域９の微小点７の配列パターンを認識した場合は、該配列パターンに相当するデータ識別子を設定し、識別入力領域９以外の微小点７の配列パターンを認識した場合は、記入内容全てをベクトル化したＳＶＧ形式の医療記録データを生成する。
【００７０】
更に、時刻付与手段１７およびペンＩＤ付与手段１８は、記憶する医療記録データの各々に対して、タイムスタンプと、記入に使用したデジタルペン１０のペンＩＤを医療記録データに付与する。
【００７１】
プロセッサ１４は、データ識別子、タイムスタンプ、ペンＩＤ、医療記録データ、および微小点７の配列パターンをメモリ１５へ一時的に記憶する。
【００７２】
記入者が、自分が入力しようとする全ての医療記録データを記入した後に、記入部１２により、カルテ２の通信指示領域８をチェックすると、通信指示領域８の微小点７の配列パターンを認識したプロセッサ１４は、メモリ１５から記憶したカルテ２の微小点７の配列パターンを取り出し、無線通信手段１６に送信を依頼する。
【００７３】
無線通信手段１６は、自分と通信可能な周辺の機器を探索し、通信手段１１を見つけて接続し、カルテ２の微小点７の配列パターンを通信手段１１に対して送出する。
【００７４】
通信手段１１は、無線通信手段１６から受信したカルテ２の微小点７の配列パターンを、ネットワーク６を介して、データ制御手段４に対して送信する。
【００７５】
データ制御手段４は、第１の受信手段１９により、通信手段１１からカルテ２の微小点７の配列パターンを受信する。
【００７６】
認証手段２０は、受信した微小点７の配列パターンと、予め記憶している微小点７の配列パターンとを対照し、受信した微小点７の配列パターンが、本発明の電子カルテシステム１が使用するカルテ２の微小点７の配列パターンであることを認証する。
【００７７】
認証手段２０がカルテ２を認証した場合、所在通知手段２１は、データ管理手段５の所在を、受信とは逆の手順を経て、記入者のデジタルペン１０に対して送信する。
【００７８】
認証手段２０により、カルテ２を認証できない場合は、受信とは逆の手順を経て、認証できないことを記入者のデジタルペン１０に対して返送する。
【００７９】
所在通知手段２１の通知により、データ管理手段５の所在を入手したデジタルペン１０は、データ制御手段４へデータを送信したのと同様な手順により、データ管理手段５に対してメモリ１５に記憶しているデータ識別子、タイムスタンプ、ペンＩＤ、および医療記録データを送信する。
【００８０】
第２の受信手段２２は、デジタルペン１０から、データ識別子、タイムスタンプ、ペンＩＤ、および医療記録データを受信し、データベース２４への登録を行う。
【００８１】
この時、カルテ識別手段２３は、受信した微小点７の配列パターンと、予め記憶している診療科や医療機関毎にカルテに印刷されている微小点７の配列パターンを比較し、カルテを識別するカルテ識別子を設定し、データベース２４へ登録する。
【００８２】
また、確定手段２５は、ペンＩＤと医療記録データを、予め記憶しているペンＩＤとデータ識別子の関係と照合し、該記入者が該医療記録データの種類の記入を許可されているか否かの評価を行う。
【００８３】
確定手段２５により、該ペンＩＤとデータ識別子の関係が許可されていない場合は、受信した医療記録データを破棄し、破棄した旨をデジタルペン１０へ通知する。
【００８４】
これは、例えば、医師は、問診結果、診断、投薬や検査指示などを記入し、看護士は、点滴や検温などの結果を記入し、レントゲン技師は、レントゲン撮影の実施結果を記入するなど、デジタルペン１０の所有者と記入可能な医療記録データの関連を特定することにより、資格のある者以外が不正な記入を行うことを防止し、該医療記録データの記入者を特定できることを表している。
【００８５】
表示手段２６は、従来の紙のカルテと同様に、データベース２４から特定の患者の医療記録データを読み出し、タイムスタンプに基づき並び替えて、カルテ形式の雛型などに表示し、医療記録データを時系列に記載した電子カルテを表示する。
【００８６】
以上、本発明を実施の形態に基づいて詳細に説明してきたが、本発明による電子カルテシステムは、上述の実施の形態に何ら限定されるものではなく、本発明の趣旨を逸脱しない範囲において、種々の変更が可能なことは当然のことである。
【００８７】
【発明の効果】
以上のとおり、本発明に係る電子カルテシステムによれば、微小点を印刷したカルテと、読取手段およびプロセッサにより記入内容をデータ化できるデジタルペンを用いることにより、カルテに記入すると同時に、記入内容から医療記録データが生成できるので、従来の紙のカルテの運用を踏襲しながら、医療記録を電子化することが可能となる。
【００８８】
また、デジタルペンの筆跡をベクトルデータに変換することにより、文字だけに限らず、線や図形など自由な形式で、従来と同様な医療記録データを入力することができる。
【００８９】
また、カルテに書き込むという動作だけで、同時に医療記録データが生成されるため、特別な画面の操作方法などを覚える必要もなく、記入者は医療行為に専念しながらも、簡単に医療記録データを入力することができ、効率的である。
【００９０】
また、カルテは診療科や医療機関毎に異なる微小点の配列パターンを備えており、データベースへ記憶させる際に、カルテ識別子を自動的に設定することができるので、入力項目を減らすことができ、表示手段で電子カルテを表示する際にも、診療科や医療機関に応じた表示を行うことが可能になる。
【００９１】
また、各々の医療記録データには、記入手段において医療記録データを記入および生成した時点のタイムスタンプが付与されており、記入手段から医療記録データをデータ管理手段へ送信するタイミングが前後しても、あるいは診療科や医療機関を跨る場合においても、時系列に従って、該患者に対する医療行為を見ることができる。
【００９２】
また、ペンＩＤと医療記録データの関連を登録しておくことにより、該デジタルペンによりカルテの記入を行った者を特定すること、および資格のない者がカルテに記入することを防止できるなど、カルテに対する安全性を確保することが可能になる。
【図面の簡単な説明】
【図１】本発明の一実施の形態を示すシステム構成図である。
【図２】本発明の地図の拡大図である。
【図３】本発明のデジタルペンの構造図である。
【図４】本発明の電子カルテシステムの動作の模式図である。
【符号の説明】
１  電子カルテシステム
２  カルテ
３  記入手段
４  データ制御手段
５  データ管理手段
６  ネットワーク
７  微小点
８  通信指示領域
９  識別入力領域
１０  デジタルペン
１１  通信手段
１２  記入部
１３  読取部
１４  プロセッサ
１５  メモリ
１６  無線通信手段
１７  時刻付与手段
１８  ペンＩＤ付与手段
１９  第１の受信手段
２０  認証手段
２１  所在通知手段
２２  第２の受信手段
２３  カルテ識別手段
２４  データベース
２５  確定手段
２６  表示手段
【図１】
2004252607.tif 000003
【図２】
2004252607.tif 000004
【図３】
2004252607.tif 000005
【図４】
2004252607.tif 000006